(57)【要約】【課題】カウンター下側の空間を収納空間等として有効に活用することのできるホース収納式水栓を提供する。【解決手段】水栓本体１４からカウンター１２下側に流出管４２が延び出し、流出管４２に対して可撓性のホース２０の一端部が接続されるとともに他端部が吐水ヘッド２２に接続され、吐水ヘッド２２がホース２０とともに引出し可能とされたホース収納式水栓において、カウンター１２下側において流出管４２の下部の接続口１８０を上向きに突き出して、接続口１８０にホース２０の一端部を接続し、ホース２０を縦方向に少なくとも１回転させた上、他端側を吐水ヘッド２２に接続する。【選択図】        図１
2006144327.tif 000002
【特許請求の範囲】
【請求項１】
水栓本体からカウンター下側に流出管が延び出し、該流出管に対して可撓性のホースの一端部が接続されるとともに他端部が吐水ヘッドに接続され、該吐水ヘッドが該ホースとともに該吐水ヘッドを保持するホルダから引出し可能とされたホース収納式水栓において、
前記カウンター下側において前記流出管の下部の接続口を上向きに突き出して、該接続口に前記ホースの前記一端部を接続し、該ホースを該カウンター下側で縦方向に少なくとも１回転させた上、前記ホルダを挿通して前記他端部を前記吐水ヘッドに接続してあることを特徴とするホース収納式水栓。
【請求項２】
請求項１において、前記ホースが前記カウンター下側に突出したシンクより奥側の空間で少なくとも１回転していることを特徴とするホース収納式水栓。
【請求項３】
請求項１，２の何れかにおいて、前記ホースが給水元管の端部に設けられた止水栓よりも上側において少なくとも１回転していることを特徴とするホース収納式水栓。
【発明の詳細な説明】
【技術分野】
【０００１】
この発明は吐水ヘッドが可撓性のホースとともに引出し可能とされたホース収納式水栓に関する。
【背景技術】
【０００２】
近年、例えばキッチン水栓等においてこの種のホース収納式水栓、即ち吐水ヘッドがこれに接続された可撓性のホースとともに吐水ヘッドを保持するホルダから引出し可能とされたホース収納式水栓が好んで用いられるようになって来ている。
【０００３】
図１６は下記特許文献１に開示されたホース収納式水栓（キッチン水栓）の具体例を示したもので、図中３００はカウンター、３０２はその下側のキャビネット、３０４はシンクであり、３０６はカウンター３００上に起立する状態で設けられた水栓本体である。
３０８は吐水口３１０を備えた吐水ヘッドで、通常時はホルダ３１２に保持されており、必要に応じてこの吐水ヘッド３０８がホース３１４とともにホルダ３１２から引出し可能とされている。
【０００４】
３１６，３１８は給水元管，給湯元管の端部にそれぞれ設けられた止水栓で、これら止水栓３１６，３１８からカウンター３００下側且つキャビネット３０２内部において給水用及び給湯用のサプライ管３２０，３２２が上向きに延び出しており、それぞれの上端部が水栓本体３０６に接続されている。
水栓本体３０６にはそれらサプライ管３２０，３２２を通じて送られて来た水，湯を混合し、温調（温度調節）する混合弁が内蔵されており、その混合後の温調水が流出管３２４を通じてカウンター３００下側に流出するようになっている。
【０００５】
ここで流出管３２４は金属管等の剛性の管にて構成されており、水栓本体３０６からカウンター３００下側に延び出している。
そしてその流出管３２４の下部の接続口に対して、上記可撓性のホース３１４の一端側が接続されている。
ホース３１４は、他端側がホルダ３１２を挿通して吐水ヘッド３０８に接続されている。
尚３２６は、水栓本体３０６の上部に設けられたレバーハンドルである。
【０００６】
図１６に示しているように通常この種のホース収納式水栓においては、止水栓の側方空間、具体的にはここでは水側の止水栓３１６と湯側の止水栓３１８との間の空間が空き空間となっていることから、ホース３１４を流出管３２４からそのまま一対の止水栓３１６，３１８間の空間に下向きに垂れ下がらせた上、向きを上向きに転じて水栓本体３０６及びホルダ３１２を挿通し、吐水ヘッド３０８に接続している。
しかしながらこのようにホース３１４がカウンター３００下側で大きく下方に垂れ下がっていると、その垂れ下がったホース３１４が邪魔となってキャビネット３０２内の下部空間が狭められ、同部を収納空間等として利用する際の制限となってしまう。
【０００７】
尚、下記特許文献２にはホースの収納構造についての発明が示されているが、その課題とするところは本発明とは異なっており、また解決手段も本発明とは異なっている。
【０００８】
【特許文献１】特開２００２−３６１２３４号公報
【特許文献２】特開平９−１７７１５１号公報
【発明の開示】
【発明が解決しようとする課題】
【０００９】
本発明は以上のような事情を背景とし、カウンター下側の空間を収納空間等として有効に活用することのできるホース収納式水栓を提供することを目的としてなされたものである。
【課題を解決するための手段】
【００１０】
而して請求項１のものは、水栓本体からカウンター下側に流出管が延び出し、該流出管に対して可撓性のホースの一端部が接続されるとともに他端部が吐水ヘッドに接続され、該吐水ヘッドが該ホースとともに該吐水ヘッドを保持するホルダから引出し可能とされたホース収納式水栓において、前記カウンター下側において前記流出管の下部の接続口を上向きに突き出して、該接続口に前記ホースの前記一端部を接続し、該ホースを該カウンター下側で縦方向に少なくとも１回転させた上、前記ホルダを挿通して前記他端側を前記吐水ヘッドに接続してあることを特徴とする。
【００１１】
請求項２のものは、請求項１において、前記ホースが前記カウンター下側に突出したシンクより奥側の空間で少なくとも１回転していることを特徴とする。
【００１２】
請求項３のものは、請求項１，２の何れかにおいて、前記ホースが給水元管の端部に設けられた止水栓よりも上側において少なくとも１回転していることを特徴とする。
【発明の作用・効果】
【００１３】
以上のように本発明は、カウンター下側において流出管の下部の接続口を上向きに突き出して、その接続口に可撓性のホースの一端部を接続し、そしてホースをカウンター下側で縦方向に少なくとも１回転させた上で、他端側を吐水ヘッドに接続するようになしたもので、本発明によれば、カウンター下側で可撓性のホースが下方に大きく垂れ下がった状態となるのを防止でき、これによりカウンター下側の空間を収納空間等として有効に活用できるようになる。
【００１４】
本発明においては、上記ホースをカウンター下側に突出したシンクよりも奥側の空間で少なくとも１回転させるようになすことができる（請求項２）。
シンクの奥側の空間は従来デッドスペースとなっている部分であり、従って本発明によればそのデッドスペースを有効に活用することができ、またこれに伴って前方側の空間を空き空間となして収納空間その他として有効に活用できるようになる。
【００１５】
本発明においてはまた、給水元管の端部に設けられた止水栓よりも上側においてホースを少なくとも１回転させるようになすことができる（請求項３）。
このようにすれば止水栓の側方空間を空いた空間となすことができ、同部を収納空間として或いは水栓装置における構成器具の配設空間等として活用できるようになる。
【発明を実施するための最良の形態】
【００１６】
次に本発明をキッチン用のホース収納式の自動水栓に適用した場合の実施形態を図面に基づいて詳しく説明する。
図１において、１０はキッチンのキャビネットで、１２はカウンターであり、このカウンター１２上に起立する状態で水栓本体１４と吐水管１６とが設けられている。ここで吐水管１６は水栓本体１４に対して所定角度回動可能とされている。
また吐水管１６は、図４に示しているように逆Ｕ字状のグースネック形状をなしている。
同図に示しているように吐水管１６は、先端に吐水口１８を有し、可撓性のホース２０とともに引出し可能な吐水ヘッド２２と、吐水ヘッド２２を収納位置に保持するホルダとしての働きを有する吐水管本体２４とを有している。
【００１７】
図１に示しているように、キャビネット１０の内部には一対の止水栓２８，３０の間の位置においてバルブユニット２６が配設されている。
そしてこのバルブユニット２６の後述の水流入口９２（図６（イ）参照）に対して給水元管（給水用の元配管）が止水栓２８，分岐継手３２及び接続ホース３４を介して接続されている。
また後述の湯流入口９４（図６（イ）参照）に対して給湯元管（給湯用の元配管）が、止水栓３０及び接続ホース３６を介して接続されている。
このバルブユニット２６の水流出口及び湯流出口からは給水用，給湯用のサプライ管３８，４０が上向きに延び出しており、それらの先端が上記の水栓本体１４に接続されて、その水栓本体１４に水，湯がそれぞれ供給されるようになっている。
【００１８】
水栓本体１４には後述の混合弁５８（図３参照）が内蔵されていて、その混合弁５８から水又は湯（混合弁５８で温調された温調水）を流出させる金属製の剛性の流出管４２がカウンター１２の下側に下向きに延び出している。
この流出管４２の下部はカプラ４４として構成されている。
カプラ４４は上向きに突き出した接続口１８０を備えており、その接続口１８０に対して可撓性のホース２０の一端部が接続されている。
【００１９】
接続口１８０から上向きに延び出したホース２０は、カウンター１２下側のキャビネット１０内部で、且つ水用及び湯用の一対の止水栓２８，３０の上側であって、更に図２に示しているようにカウンター１２から下向きに突出したシンク１８２の奥側の空間において縦方向に１回転し、そして水栓本体１４及びホルダとしての吐水管本体２４を挿通して上記の吐水ヘッド２２に他端部が接続されている。
尚このカプラ４４には、図２に示しているようにホースガイド１８４が装着されており、そのホースガイド１８４の円形のガイド孔１８６を、１回転した後のホース２０が挿通して上向きに延びている。
【００２０】
キャビネット１０の内部にはまた図１に示しているように浄水器４６が設けられており、バルブユニット２６の上流部において給水元管からの水が分岐継手３２，ホース４８を通じてこの浄水器４６に導かれるようになっている。
浄水器４６は、水道水を後述のフィルタ６６（図３参照）に通して浄化するもので、その浄化後の浄水を流出させるホース５０が浄水器４６から延び出している。
このホース５０の先端はカプラ４４を介して、吐水ヘッド２２に繋がるホース２０に接続されている。
即ち浄水器４６から流出した浄水がホース５０，２０を通じて吐水ヘッド２２に導かれ、その先端の吐水口１８から吐水されるようになっている。
【００２１】
キャビネット１０の内部にはまた、バルブユニット２６の下側において水栓の動作制御のためのコントローラ（制御部）５２が設けられている。
【００２２】
図３に示しているように本実施形態において給水元管，給湯元管からの水，湯は給水路５４，給湯路５６を通じて水栓本体１４に内蔵された混合弁５８に供給される。
供給された水と湯とはレバーハンドル６０の操作に基づいて所定比率で混合された上、同じくそのレバーハンドル６０の操作に基づいて決定された所定流量で流出路６２を通じ吐水ヘッド２２に送られ、先端の吐水口１８から吐水される。
ここでレバーハンドル６０は、左右回動操作によって水と湯との混合比率の調節即ち温度調節を行い、また上下回動操作によって流量調節を行う。
【００２３】
給水元管からの水はまた、電磁弁６８の上流部で給水路５４から分岐した浄水路６４に取り出され、そして浄水路６４上に設けられた浄水器４６のフィルタ６６を通過してそこで浄化された上で、浄化後の水（浄水）が混合弁５８をバイパスして流出路６２に導かれ、そしてその流出路６２を通じて吐水ヘッド２２の吐水口１８から吐水されるようになっている。
これら給水路５４，給湯路５６及び浄水路６４のそれぞれには流路を開閉する電磁弁６８，７０，７２及び逆流防止をなす逆止弁７４が配設されている。
尚浄水路６４には定流量弁７３が設けられている。
【００２４】
給水路５４からはまた、電磁弁６８の上流部においてバイパス路７６が分岐して延び出しており、その先端が給湯路５６且つ電磁弁７０及び逆止弁７４の下流部に接続されている。
このバイパス路７６上にもまた、流路を開閉する電磁弁７８と逆止弁７４が設けられている。
これら電磁弁６８，７０，７２，７８はそれぞれコントローラ５２に電気的に接続されていて、コントローラ５２によって動作制御される。
【００２５】
本実施形態において、給水路５４と給湯路５６とを連絡するバイパス路７６を設けているのは次のような理由による。
即ちレバーハンドル６０の操作位置が、混合弁５８内における湯の流路を全開、水の流路を全閉状態とする状態にあると、後述する人体検知センサ（水用センサ１１６）による人体検知に基づいて吐水口１８から水吐水させようとしてもこれを行うことができない。
そこで給水路５４と給湯路５６とをバイパス路７６で連絡しておき、混合弁５８内において水の流路が全閉状態にあっても、給水元管からの水をバイパス路７６，給湯路５６，更に流出路６２を通じて吐水口１８へと供給可能となしているのである。
【００２６】
この実施形態の自動水栓では、図１５（Ａ）に示しているように電磁弁６８及び７８が開，電磁弁７０，７２が閉とされることで、給水路５４及びバイパス路７６、更に給湯路５６の一部を通じて給水元管からの水が混合弁５８に送られ、更にその混合弁５８を経由して流出路６２を通じ、吐水口１８から水が吐水（水吐水）される。
また図１５（Ｂ）に示しているように電磁弁６８及び７０が開，電磁弁７２及び７８が閉の状態の下で、給水元管からの水と給湯元管からの湯がそれぞれ給水路５４及び給湯路５６を通じて混合弁５８に送られてそこで混合され、適温の湯（温調水）とされた上で流出路６２を通じ吐水口１８から湯が吐水（湯吐水）される。
一方図１５（Ｃ）に示しているように電磁弁６８，７０及び７８の何れもが閉で、電磁弁７２のみが開の状態の下では、給水元管からの水が浄水器４６、つまり浄水路６４の側に導かれてフィルタ６６を通り、浄水となって流出路６２を通じ吐水口１８から吐水（浄水吐水）される。
【００２７】
図８に上記混合弁５８の構成が具体的に示してある。
同図に示しているように混合弁５８は、ハウジング８０の内部に固定弁体８２と、その上面を摺動する可動弁体８４とを有しており、その可動弁体８４に対してレバーハンドル６０が作動的に連結されている。
固定弁体８２には水，湯の入口８６，８６が設けられていて、それら入口８６，８６を通じて、サプライ管３８，４０を図中上向きに送られて来た水と湯とが可動弁体８４の混合室８８内に流入する。
そして混合室８８で混合された後の温調後の湯或いは水（冷水）が出口８９から流出管４２へと流出して、図２の流出路６２を通じ吐水口１８へと導かれる。
【００２８】
図５〜図７に上記バルブユニット２６の構成が具体的に示してある。
これらの図において９０はバルブボデーで、図６に示しているように水流入口９２，湯流入口９４と、それらに連通して給水路５４，給湯路５６の一部をなす内部流路５４ａ，５６ａを有している。
そしてそれら内部流路５４ａ，５６ａ上に電磁弁６８，７０（図７参照）が設けられている。
【００２９】
バルブボデー９０にはまた、図６（ハ）に示しているように上記バイパス路７６の一部を成す分岐流路７６ａが給水用の内部流路５４ａから分岐しており、この分岐流路７６ａ上にバイパス路７６を開閉するための電磁弁７８（図７参照）が設けられている。
バルブボデー９０には更に、図６（イ）に示しているように分岐流路７６ａを給湯路５６に合流させるための、バイパス路７６の残部をなす合流路７６ｂが設けられており、分岐流路７６ａからの水がこの合流路７６ｂによって給湯路５６に合流し、その後給湯路５６を通じて図３の混合弁５８へと送られるようになっている。
【００３０】
上記電磁弁６８，７０，７８は図７（ロ）に示しているように、主弁としてのダイヤフラム弁９８と、その背後に形成された背圧室１００と、背圧室１００の水抜きを行う水抜水路としてのパイロット水路１０２と、パイロット水路１０２を開閉するパイロット弁としてのプランジャ弁１０４と、固定コア１０６と、プランジャ弁１０４を電磁力で動作させるソレノイド１０８とを有している。
この電磁弁６８，７０，７８においては、ソレノイド１０８への通電によりプランジャ弁１０４を開弁させると、パイロット水路１０２が開放されて背圧室１００の圧力が抜け、主弁としてのダイヤフラム弁９８が開弁動作する。
【００３１】
尚、図５（Ａ）及び図７（イ）に示しているようにバルブボデー９０には内部の水，湯を抜くための水抜栓１１０と、水抜きに際してダイヤフラム弁９８を手動にて開放させるための開放操作部材１１２とが設けられている。
開放操作部材１１２は、摘み１１４を回転操作することでダイヤフラム弁９８を手動で開放させる。
【００３２】
図４に示しているように、逆Ｕ字状のグースネック形状をなす吐水管１６における吐水管本体２４の先端部、詳しくはその最上位の部位から先端に向かって下向きとなる部分の上面に、水用センサ（水用の人体検知センサ）１１６及び湯用センサ（湯用の人体検知センサ）１１８が、所定間隔隔てて管軸方向に一列に配列されている。
ここで水用センサ１１６は使用者に近い手前側に（前側に）、また湯用センサ１１８は奥側に設けられている。従って水用センサ１１６は湯用センサ１１８に対して下位置に、また湯用センサ１１８は水用センサ１１６に対して上位置に位置している。
本実施形態においては、吐水管本体２４の側面においても浄水用センサ（浄水用の人体検知センサ）１２０が設けられている。
尚吐水管本体２４の先端部下面には、吐水やシンク１８２或いはシンク１８２内の容器等に光を照射してほのかに照らし出す光照射部１２２が設けられている。
【００３３】
この実施形態の自動水栓では、水用センサ１１６の上方に手をかざして水用センサ１１６によりこれを検知させると、吐水口１８から水が吐水（水吐水）される。また水吐水状態の下で再び水用センサ１１６の上方に手をかざすと、そこで水吐水が停止する。即ち止水する。
一方湯用センサ１１８の上方に手をかざすと、湯用センサ１１８による手の検知に基づいて、吐水口１８から適正温度に温度調節された湯が吐水され、そしてその湯吐水中に再び湯用センサ１１８の上方に手をかざすと、そこで湯吐水が停止する。
【００３４】
一方図１４に示しているように吐水管本体２４の先端部側方に手を差し出すと、浄水用センサ１２０がこれを検知し、吐水口１８から浄水が吐水（浄水吐水）される。また浄水吐水状態の下で再び浄水用センサ１２０に対して手をかざすと、そこで浄水吐水が停止する。
そのようにコントローラ５２が対応する各電磁弁６８，７０，７２，７８を動作制御する。
【００３５】
尚ここでは、水用センサ１１６の検知距離が奥側の湯用センサ１１８の検知距離よりも短く設定されている。
即ち各センサ（水用センサ１１６及び湯用センサ１１８）が差し出された手の指を検知するものと想定して、ここでは水用センサ１１６の検知距離が約２ｃｍ程度、湯用センサ１１８の検知距離が約４ｃｍ程度に設定されている。
【００３６】
図９〜図１２に吐水管１６の内部構造が具体的に示してある。
図９，図１０及び図１１に示しているように、吐水管本体２４は金属パイプ１２４と、断面Ｕ字状をなして金属パイプ１２４の内部に挿入され内側においてホース２０をガイドし、また外側において上記各水，湯，浄水用の各センサ１１６，１１８，１２０とコントローラ５２とを連絡する電気配線をガイドする湾曲形状のインナ部材１２６と、その先端側に設けられて可撓性ホース２０を挿通ガイドする概略筒状のガイド部材１２８と、その下側からこれを覆うガイドカバー１３０とを有している。
【００３７】
図１２に示しているようにこのガイド部材１２８の上面には仕切板１３１が固定されており、そしてその仕切板１３１の上面に上記水用センサ１１６，湯用センサ１１８を有するセンサユニット１３２，１３４が載置固定された上、その上側から樹脂製の透光性のセンサカバー１３６が被せられている。
ガイド部材１２８には、その側面に浄水用センサ１２０が取り付けられている。ガイドカバー１３０は、その浄水用センサ１２０に対応する部分が透光性とされている。
【００３８】
上記湯用センサ１１８は光電式のものであって、図１３（Ａ）に示しているようにこの湯用センサ１１８を有するセンサユニット１３４は基板１４０を有していて、そこに赤外線の発光素子１４２と、受光素子１４４と、センサ制御部としてのマイコン１４６が搭載されている。
基板１４０にはまた、湯吐水状態であるかそうでないかを表示するためのＬＥＤ１４８が搭載されており、湯吐水状態の下ではこのＬＥＤ１４８が点滅し、またそうでないときにはＬＥＤ１４８が点灯保持するようになっている。
【００３９】
一方図１３（Ｂ）に示しているように、水用センサ１１６を有するセンサユニット１３２は、基板１４０に赤外線の発光素子１４２と、受光素子１４４と、更に水吐水中であるか否かを表示するＬＥＤ１５０が搭載されている。
ここでＬＥＤ１５０は水吐水中であれば点滅を行い、またそうでないときには点灯状態を保持して、水吐水中であるか否かを表示する。
このセンサユニット１３２にはまた、基板１４０に現在の吐水温度を表示するための３色（ＲＧＢ）ＬＥＤ１５２が搭載されている。
【００４０】
一方図１３（Ｃ）に示しているように浄水用センサ１２０を有するセンサユニット１３８は、基板１４０に赤外線の発光素子１４２と、受光素子１４４及び浄水吐水中であるか否かを表示するためのＬＥＤ１５４が搭載されている。
このＬＥＤ１５４は浄水吐水中においては点滅動作し、またそうでないときには点灯状態を保持することによって、浄水吐水中であるか否かを表示する。
【００４１】
一方吐水ヘッド２２は、図１０に示しているように筒状のコア部材１５６と、これを外周側から覆うカバー１５８とを有しており、そのコア部材１５６に対して可撓性ホース２０の先端部が水密に接続固定されている。
この吐水ヘッド２２の先端には、吐水口１８からの吐水をストレート吐水からシャワー吐水に又はその逆に切換操作する切換操作部１６０が設けられている。
【００４２】
図１に示しているように、上記カプラ４４には吐水口１８からの吐水の温度をその上流部において事前に検知する温度検知素子としてサーミスタ１７０が取り付けられている。
そして図９及び図１０に示しているように、このサーミスタ１７０による温度検知に基づいて吐水の温度ないしその温度変化を光の色ないし色変化によって表示する光温度表示部１６２が吐水管２４の先端面近傍、詳しくはここでは吐水管２４の先端面と吐水ヘッド２２とによって管軸方向に挟まれる位置に取り付けられている。
【００４３】
この光温度表示部１６２は透光性の樹脂から成っていて、図１０に示しているように後方への延出部１６４を一体に有しており、その延出部１６４の下面に対して、上記３色ＬＥＤ１５２からの光が照射されるようになっている。
この透光性樹脂から成る光温度表示部１６２は外周面が表示面とされていて、組付状態においてその表示面だけが吐水管１６の外周面で露出せしめられ、表示面で吐水の温度を光の色で表示する。
詳しくは、３色ＬＥＤ１５２から延出部１６４の被照射面に照射された光は透光性樹脂の内部を透過して、外周面の表示面から外部に放射され、その光の色によって吐水の温度を表示する。
【００４４】
上記３色ＬＥＤ１５２は色の３原色である赤（Ｒｅｄ），緑（Ｇｒｅｅｎ），及び青（Ｂｌｕｅ）を発色するＬＥＤをユニット化したもので、上記サーミスタ１７０よる温度検知に基づいて連続的に光の色を変化させる。
光温度表示部１６２は、その光の色及び色変化を連続的に外部に放射して吐水温度を表示する。
即ち吐水温度が低いときには青色を、吐水温度が高いときには赤色を、中間のときにはそれらに応じた色を発色して現在の吐水温度がどのような温度であるかをその色変化によって表示する。
【００４５】
本実施形態では、浄水用センサ１２０，湯用センサ１１８及び水用センサ１１６が実質的に同時に手を検知した場合には、浄水用センサ１２０による検知が最も優先し、その次に湯用センサ１１８による検知が優先するようになっている。
詳しくは、浄水用センサ１２０が手を検知したときには一定時間他のセンサ即ち湯用センサ１１８及び水用センサ１１６の検知が無効化され、一定時間経過後に湯用センサ１１８，水用センサ１１６による検知が有効化される。
また湯用センサ１１８が手を検知したときには、一定時間水用センサ１１６による検知が無効化され、一定時間経過後に水用センサ１１６による検知が有効化される。
コントローラ５２がそのように吐水の動作を制御する。
【００４６】
以上のように本実施形態のホース収納式水栓では、カウンター１２下側において流出管４２の下部の接続口１８０を上向きに突き出して、その接続口１８０に可撓性のホース２０の一端部を接続し、そしてホース２０をカウンター１２下側で且つシンク１８２の奥側の空間で、更にまた一対の止水栓２８，３０より上側の空間で縦方向に１回転させた上で他端側を吐水ヘッド２２に接続してあるので、カウンター１２下側でホース２０が下方に大きく垂れ下がった状態となるのを防止でき、一対の止水栓２８と３０との間の空間をバルブユニット２６配設用の空間として確保することができるとともに、シンク１８２の下方空間を空き空間となして、同部分を収納空間等として有効に活用することができる。
【００４７】
以上本発明の実施形態を詳述したがこれはあくまで一例示である。
例えば上記実施形態では流出管４２の下部をカプラ４４にて構成し、そのカプラ４４に上向きの接続口１８０を備えてそこに可撓性のホース２０の一端部を接続するようにしているが、場合によって流出管４２の下部をカプラ４４で構成することなく直接流出管４２自体に上向きの接続口１８０を設けて、そこにホース２０の一端部を接続するようになすことも可能である。
その他本発明はその趣旨を逸脱しない範囲において種々変更を加えた形態で構成可能である。
【図面の簡単な説明】
【００４８】
【図１】本発明の一実施形態である自動水栓を示す図である。
【図２】図１の側面図である。
【図３】同実施形態の自動水栓の流路を示す図である。
【図４】同実施形態の吐水管と各種センサを示す図である。
【図５】同実施形態のバルブユニットを示す斜視図である。
【図６】図４のバルブユニットを互いに異なる切断面で切断して示す斜視図である。
【図７】図４のバルブユニットの図５とは異なった切断面における断面図である。
【図８】同実施形態における混合弁を示す図である。
【図９】図３の吐水管の内部構造を示す断面図である。
【図１０】図８における吐水ヘッドを吐水管本体から離した際の図である。
【図１１】図８の分解斜視図である。
【図１２】図１０の一部を詳しく示した図である。
【図１３】同実施形態における各人体検知センサを示した図である。
【図１４】浄水吐水を行う際の図である。
【図１５】同実施形態における流路切換えの説明図である。
【図１６】従来のホース収納式水栓の一例を示す図である。
【符号の説明】
【００４９】
１２  カウンター
１４  水栓本体
２０  ホース
２２  吐水ヘッド
２４  吐水管本体（ホルダ）
２８  止水栓
４２  流出管
１８０  接続口
１８２  シンク
【図１】
2006144327.tif 000003
【図２】
2006144327.tif 000004
【図３】
2006144327.tif 000005
【図４】
2006144327.tif 000006
【図５】
2006144327.tif 000007
【図６】
2006144327.tif 000008
【図７】
2006144327.tif 000009
【図８】
2006144327.tif 000010
【図９】
2006144327.tif 000011
【図１０】
2006144327.tif 000012
【図１１】
2006144327.tif 000013
【図１２】
2006144327.tif 000014
【図１３】
2006144327.tif 000015
【図１４】
2006144327.tif 000016
【図１５】
2006144327.tif 000017
【図１６】
2006144327.tif 000018